(57)【要約】【課題】小型の無線通信機器におけるアンテナの取り付け構造を簡易かつ確実なものとする。【解決手段】無線通信用電子部品を搭載した基板を内部に収容する収容体を、少なくとも２つの部材、例えば蓋体と収容体の組み合わせとして構成し、このうちの一方に、アンテナを固定するリブなどの弾性部材を形成し、収容体内に基板を収容しつつ、２つの部材を組み合わせることにより、アンテナが弾性部材の弾性によって、基板の所定の位置に押圧されて固定されるものとした。【選択図】図１
2011211332.tif 000002
【特許請求の範囲】
【請求項１】
アンテナを収納した無線通信機器であって、
無線通信用電子部品を搭載した基板を内部に収容する収容体の一端に、前記アンテナを弾性を用いて保持する保持部材を形成し、
前記基板の一端部を前記アンテナに接触する部位に位置させることにより、前記保持部材によって、前記アンテナが、前記基板の所定の位置に弾性により押圧されて固定される
無線通信機器。
【請求項２】
前記収容体を、組み合わせ可能な２つの部材により構成し、該２つの部材の一方を、前記基板を収容する筒状の筐体とし、他方を、前記保持部材を内部に形成した蓋体とした請求項１記載の無線通信機器。
【請求項３】
請求項２記載の無線通信機器であって、
前記蓋体の内部には、前記筐体が挿入される凹所が形成されており、
該凹所の隅部には、前記保持部材としての弾性部材が形成され、
前記アンテナが、前記凹所の前記弾性部材に接する位置に配置され、
前記基板を、前記一端部が前記アンテナと前記弾性部材の間に位置するよう挿入すると、前記弾性部材によって、前記アンテナが前記基板に押圧される
無線通信機器。
【請求項４】
請求項１または請求項２記載の無線通信機器であって、
前記アンテナは、アンテナ長を確保するために葛折りされた形状をなし、
該アンテナの両端が前記基板の所定の位置に当接し、かつ前記アンテナは、前記両端をつなぐ線上の両側に亘って前記葛折りされた部分が存在する形状とされた
無線通信機器。
【請求項５】
前記基板の前記アンテナが固定される側の端部には、前記葛折りされたアンテナの部分と干渉しないように、該基板を切り欠いた切欠部を形成した請求項４記載の無線通信機器。
【請求項６】
前記基板の前記アンテナが固定される側とは反対側の端部に、外部との接続用端子部が形成された請求項１ないし請求項５のいずれか記載の無線通信機器。
【請求項７】
前記接続用端子部は、ＵＳＢ規格の端子部である請求項６記載の無線通信機器。
【請求項８】
無線通信機器の収容体にアンテナを収容する構造であって、
無線通信用電子部品を搭載した基板を内部に収容する収容体の一端に、前記アンテナを弾性を用いて保持する保持部材を形成し、
前記基板の一端部を前記アンテナに接触する部位に位置させることにより、前記保持部材によって、前記アンテナが、前記基板の所定の位置に弾性により押圧されて固定される
アンテナ構造。
【請求項９】
収容体内に無線通信用のアンテナを収容した無線通信機器の製造方法であって、
無線通信用電子部品を搭載した基板を内部に収容する収容体の一端に、前記アンテナを弾性を用いて保持する保持部材を形成し、
前記基板の一端部を前記アンテナに接触する部位に位置させることにより、前記保持部材によって、前記アンテナが、前記基板の所定の位置に弾性により押圧して固定する
無線通信機器の製造方法。
【請求項１０】
請求項９記載の無線通信機器の製造方法であって、
前記収容体を、組み合わせ可能な２つの部材により構成し、該２つの部材の一方を、前記基板を収容する筒状の筐体とし、他方を、内部に凹所を形成した蓋体とし、
該凹所の隅部には、前記保持部材としての弾性部材を形成し、
前記アンテナを、前記凹所の前記弾性部材に接する位置に配置し、
前記基板の一端部を、前記アンテナと前記弾性部材の間に位置するよう挿入することにより、前記弾性部材によって、前記アンテナを前記基板に押圧して固定する
無線通信機器の製造方法。
【発明の詳細な説明】
【技術分野】
【０００１】
本発明は、無線通信機器、無線通信機器用ケース、無線通信機器におけるアンテナの固定構造、およびアンテナの固定方法に関するものである。
【背景技術】
【０００２】
従来、パーソナルコンピュータの汎用ポート、例えばＵＳＢポートに装着して、無線通信機能を実現する機器が用いられている。こうした無線通信機器は、無線ＬＡＮなどへの接続機能を有しないノート型パーソナルコンピュータ等において、無線通信の機能を実現するために用いられている。
【０００３】
こうしたパーソナルコンピュータの周辺機器は、常に小型化が図られているが、無線通信機器の場合には、電波を受信または送信するためのアンテナが、更なる小型化を図る上での隘路となっていた。一般にアンテナの長さは、使用される電波の波長の１／２または１／４程度とされる。５ＧＨｚの無線ＬＡＮに用いる無線通信機器では、波長の１／４としたアンテナの長さは、およそ１５ミリとなる。
【０００４】
こうしたアンテナを小型化した無線通信機器の内部に収納する場合、無線通信機器を構成するパーツを搭載した基板上の電気回路となんらの方法で電気的な接続を取らねばならない。もっとも簡単な接続方法は、半田付けだが、電子基板にアンテナを半田付けするのは工数がかかるため、スプリングを用いて、アンテナを端子（電極パターン）に押圧して固定する方法なども提案されている（例えば、下記特許文献１参照）。
【先行技術文献】
【特許文献】
【０００５】
【特許文献１】特開２００３−２１８６２８号公報
【発明の概要】
【発明が解決しようとする課題】
【０００６】
しかしながら、小型化の要請の下、アンテナ自体の幅も小さくされてきており、スプリングなどを使って、アンテナを基板に確実に押圧することは困難になりつつあった。本願は、かかる課題を解決し、小型化された無線通信機器においてアンテナを確実に固定することを目的としてなされた。
【課題を解決するための手段】
【０００７】
本発明は、上述の課題の少なくとも一部を解決するためになされたものであり、以下の形態又は適用例として実現することが可能である。
【０００８】
［適用例１］
アンテナを収納した無線通信機器であって、
無線通信用電子部品を搭載した基板を内部に収容する収容体の一端に、前記アンテナを弾性を用いて保持する保持部材を形成し、
前記基板の一端部を前記アンテナに接触する部位に位置させることにより、前記保持部材によって、前記アンテナが、前記基板の所定の位置に弾性により押圧されて固定される
無線通信機器。
【０００９】
かかる無線通信機器によれば、アンテナは、収容体の一端に保持部材に弾性を用いて保持されているので、容易に組み立てることができる。しかも、基板の一端部をアンテナに接触する部位に位置させるだけで、アンテナは基板の所定の位置に弾性により押圧されて固定される。従って、アンテナと基板の接続のために、半田付けやその他の手間を要しない。なお、弾性は、保持部材により付与されるものとしても良いし、アンテナにより付与されるものとしても良い。
【００１０】
［適用例２］
前記収容体を、組み合わせ可能な２つの部材により構成し、該２つの部材の一方を、前記基板を収容する筒状の筐体とし、他方を、前記保持部材を内部に形成した蓋体とした適用例１記載の無線通信機器。
かかる無線通信機器では、収容体を、組み合わせ可能な蓋体と筒状の筐体という２つの部材から構成しており、両者を容易に組み合わせることができる。特に蓋体の外形形状が、筐体より大きい場合には、内部に保持されたアンテナの電気的に必要とされる長さを確保することが容易になる。しかも、この無線通信機器を他の機器のコネクターに取り付けたとき、蓋体が大きいので、取り外しが容易になる。
【００１１】
［適用例３］
適用例２記載の無線通信機器であって、
前記蓋体の内部には、前記筐体が挿入される凹所が形成されており、
該凹所の隅部には、前記保持部材としての弾性部材が形成され、
前記アンテナが、前記凹所の前記弾性部材に接する位置に配置され、
前記基板を、前記一端部が前記アンテナと前記弾性部材の間に位置するよう挿入すると、前記弾性部材によって、前記アンテナが前記基板に押圧される
無線通信機器。
【００１２】
かかる無線通信機器では、凹所の隅部に設けられた弾性部材がアンテナを弾性的に保持するので、蓋体からアンテナに脱落しにくく、組み立てが一層容易になるという利点がある。しかも基板の挿入により、アンテナが弾性体に基板に押圧されるので、両者の接触がより一層強固なものとなる。
【００１３】
［適用例４］
適用例１または適用例２記載の無線通信機器であって、
前記アンテナは、アンテナ長を確保するために葛折りされた形状をなし、
該アンテナの両端が前記基板の所定の位置に当接し、かつ前記アンテナは、前記両端をつなぐ線上の両側に亘って前記葛折りされた部分が存在する形状とされた
無線通信機器。
かかる無線通信機器では、アンテナは葛折り形状とされているので、小さな部材に保持されていても、アンテナとして必要な全長を確保することができる。
【００１４】
［適用例５］
前記基板の前記アンテナが固定される側の端部には、前記葛折りされたアンテナの部分と干渉しないように、該基板を切り欠いた切欠部を形成した適用例４記載の無線通信機器。
この場合には、葛折りされたアンテナと基板とが干渉しないので、葛折りを複数折りとすることができる。
【００１５】
［適用例６］
前記基板の前記アンテナが固定される側とは反対側の端部に、外部との接続用端子部が形成された適用例１ないし適用例５のいずれか記載の無線通信機器。
［適用例７］
前記接続用端子部は、ＵＳＢ規格の端子部である適用例６記載の無線通信機器。
かかる無線通信機器では、アンテナとは反対側端部に端子部が形成されているため、アンテナが外部の機器により影響を受けることがない。また、ＵＳＢ規格により、容易に外部の機器に無線通信の機能を拡張することができる。
【００１６】
［適用例８］
無線通信機器の収容体にアンテナを収容する構造であって、
無線通信用電子部品を搭載した基板を内部に収容する収容体の一端に、前記アンテナを弾性を用いて保持する保持部材を形成し、
前記基板の一端部を前記アンテナに接触する部位に位置させることにより、前記保持部材によって、前記アンテナが、前記基板の所定の位置に弾性により押圧されて固定される
アンテナ構造。
【００１７】
かかるアンテナ構造によれば、簡易な構造により、アンテナと基板との接続を容易に実現することができる。
【００１８】
［適用例９］
収容体内に無線通信用のアンテナを収容した無線通信機器の製造方法であって、
無線通信用電子部品を搭載した基板を内部に収容する収容体の一端に、前記アンテナを弾性を用いて保持する保持部材を形成し、
前記基板の一端部を前記アンテナに接触する部位に位置させることにより、前記保持部材によって、前記アンテナが、前記基板の所定の位置に弾性により押圧して固定する
無線通信機器の製造方法。
かかる無線通信機器の製造方法によれば、アンテナを、容易に組み立てることができ、アンテナと基板の接続のために、半田付けやその他の手間を要しない。また、製造方法を以下のようにすれば、基板とアンテナの接続を確実にしつつ、無線通信機器の製造を、より一層簡易なものとすることができる。
【００１９】
［適用例１０］
適用例９記載の無線通信機器の製造方法であって、
前記収容体を、組み合わせ可能な２つの部材により構成し、該２つの部材の一方を、前記基板を収容する筒状の筐体とし、他方を、内部に凹所を形成した蓋体とし、
該凹所の隅部には、前記保持部材としての弾性部材を形成し、
前記アンテナを、前記凹所の前記弾性部材に接する位置に配置し、
前記基板の一端部を、前記アンテナと前記弾性部材の間に位置するよう挿入することにより、前記弾性部材によって、前記アンテナを前記基板に押圧して固定する
無線通信機器の製造方法。
【図面の簡単な説明】
【００２０】
【図１】実施例としてのＵＳＢ無線ＬＡＮアダプターの分解斜視図である。
【図２】組み立てたＵＳＢ無線ＬＡＮアダプターの平面図である。
【図３】アンテナ４０の終端部の形状を拡大し、アンテナ全体の形状と共に示す説明図である。
【図４】キャップ内のリブとアンテナの状態を縦断面で示す断面図である。
【図５】組み立てたＵＳＢ無線ＬＡＮアダプターの断面図である。
【図６】アンテナの端部と基板との接触状態を示す説明図である。
【図７】アンテナ端部が接触する基板のランド形状を示す説明図である。
【発明を実施するための形態】
【００２１】
図面を参照して、本発明の無線通信機器の実施例について説明する。図１は、実施例のＵＳＢ無線ＬＡＮアダプター１０の分解斜視図である。このＵＳＢ無線ＬＡＮアダプター１０は、コンピュータに設けられたＵＳＢのタイプＡコネクターに接続されて、２．４ＧＨｚの無線ＬＡＮのクライアントとして機能する。このＵＳＢ無線ＬＡＮアダプター１０は、図示するように、合成樹脂製の筐体２０と、この筐体２０内に収納される電子基板（以下、基板と呼ぶ）３０と、無線通信用のアンテナ４０を内蔵したキャップ５０とから、構成されている。理解の便を図って、図２に、これらの部材を組み立て終わったＵＳＢ無線ＬＡＮアダプター１０の平面を示した。組み立てられた状態では、図２に示したように、筐体２０の一方の端部２１がキャップ５０内に入り込み、接着固定される。このとき、基板３０のキャップ５０側の端部３３は、アンテナ４０に接触した状態となる。また、基板３０の反対側の端部３９は、筐体２０の反対側端部２３に位置し、筐体２０の端部２３の開口２５と共に、ＵＳＢコネクターを形成する。
【００２２】
図１に戻って、各部の構成について説明する。基板３０は、無線通信機能を実現する各種電子部材３５を実装している。また、基板３０のキャップ側の端部３３には、二カ所、切欠部３１，３２を備えている。この切欠部３１，３２の位置は、後述するアンテナ４０の屈曲位置に対応している。基板３０の反対側の端部３９には、ＵＳＢ端子を構成する４つの電極Ｐ１〜Ｐ４が形成されている。
【００２３】
次に、キャップ５０とアンテナ４０とについて説明する。図１では、金属製のアンテナ４０は、合成樹脂製のキャップ５０内に既に収納された状態として描かれている。アンテナ４０は、筐体２０および基板３０がキャップ５０に取り付けられる前に、キャップ５０内に収納しておけばよい。アンテナ４０の概観を、図３に示した。アンテナ４０は、図示するように、所定幅の金属板を、左右対称に折り曲げた形状をしている。対称の中心からみれば、外方に所定距離ｄ１だけ隔たった位置でまず９０度、屈曲され、そこから所定距離ｄ２だけ離れた位置で、逆方向に９０度屈曲され、更に所定距離ｄ３だけ離れた位置で、同じ方向に再度９０度屈曲され、所定距離ｄ４だけ隔たった位置で、三度同じ方向に９０度屈曲されている。最後に屈曲された位置から終端までは所定距離ｄ５あり、その中心に、基板３０との電気的な接触を行なう突起４５が設けられている。突起４５が設けられた部分を終端部４３と呼ぶ。また、折り曲げられたアンテナ４０の中央部をセンター部４６、その両側の立ち上がりの部分を立上部４７ａ，４７ｂ、これに続く平坦な部分を上方部４８ａ，４８ｂ、最も外方の部分を立下部４９ａ，４９ｂと呼ぶものとする。
【００２４】
アンテナ４０の全長は、結局、センター部４６、２つの立上部４７ａ，４７ｂ、２つの上方部４８ａ，４８ｂ、２つの立下部４９ａ，４９ｂ、の長さの総和に、２つの終端部４３ａ，４３ｂの長さの１／２（突起４５の中心まで）を加えた長さの総和、即ち、
（ｄ１＋ｄ２＋ｄ３＋ｄ４＋ｄ５／２）×２
となる。なお、立上部４７ａ，４７ｂの長さｄ２と、立下部４９ａ，４９ｂの長さｄ４とは、基板３０の厚み分ｓおよびアンテナ４０の板厚ｔだけ異なっており、
ｄ２＝ｄ４＋ｓ＋ｔ
となっている。アンテナ４０が無線通信のためのアンテナとして機能する際の電気的な長さについては、後述する。
【００２５】
図３に示したアンテナ４０は、キャップ５０の内側に挿入され、セッティングされる。この状態を図４に示した。図１およびキャップ５０の内部を縦断面で示す図４に示したように、キャップ５０の内部は、アンテナ４０の外形寸法より少し大きめの窪みが形成されており、その周辺には、リブ５１，５３，５５，５７が設けられている。このうちリブ５１，５３は、キャップ５０の内部の長辺の両端に設けられている。また、リブ５５，５７は、対向するもう一つの長辺の両端と中央に設けられている。このリブ５５，５７は、図４に示したように、キャップ５０の奥に行くに従って、厚みが厚くなるように形成されている。また、キャップ５０の窪みの底部では、リブ５１とリブ５５との間の距離およびリブ５３とリブ５７との間の距離は、アンテナ４０の高さ（図３、寸法ｄ４）とほぼ同一とされている。従って、アンテナ４０をキャップ５０の内部の窪みに挿入すると、図４に示したように、アンテナ４０は、キャップ５０の窪みの一番奥で、リブ間に挟持されて保持される。この状態で、キャップ５０の入り口側では、リブ５５，５７とアンテナ４０との間に僅かな隙間が存在する状態となる。なお、アンテナ４０のセンター部４６の下面に対応する位置に、リブ５５，５７より小さなリブを設けて、アンテナ４０のセンター部４６を支えるものとしても良い。
【００２６】
次に、上述したようにキャップ５０内にアンテナ４０が保持された状態で、筐体２０および基板３０を装着する手順について説明する。基板３０を、筐体２０内に収納する。この状態で、筐体２０および基板３０をキャップ５０の窪みに挿入する。このとき、基板３０の端部３３は、図４に示したように、アンテナ４０とリブ５５，５７との隙間に挿入され、挿入されるにつれて、合成樹脂製のリブ５５，５７を変形させる。この結果、図５に示したように、筐体２０および基板３０をキャップ５０に完全に押し込んだ状態では、基板３０は、アンテナ４０とリブ５５ないし５６間に完全に挟持される。
【００２７】
アンテナ４０のセンター部４６は、図３に示したように、終端部４３より下方に位置しているから、筐体２０および基板３０をキャップ５０の窪みに挿入すると、基板３０は、アンテナ４０の終端部４３とリブ５５，５７との間に挟持されるが、このとき、アンテナ４０のセンター部４６は、基板３０の下方に位置する。また、基板３０に設けられた切欠部３１，３２が、丁度アンテナ４０の立上部４７ａ，４７ｂに対応しており、切欠部３１，３２にアンテナ４０の立上部４７ａ，４７ｂが位置する状態となる。アンテナ４０の終端部４３の中央に設けられた突起４５は、この状態で、基板３０に設けられた端子３８に接触する。この状態を図６に示した。基板３０の端子３８の中心には、図７に示すように、スルーホール３７が設けられており、アンテナ４０の終端部４３の中心に設けられた突起４５は、このスルーホール３７のセンターに位置決めされる。もとより、変形したリブ５５，５７の弾力によって、基板３０は、アンテナ４０の終端部４３に押しつけられるので、突起４５と端子３８の開口の周辺とが線接触することになり、両者の接触は良好に保たれる。
【００２８】
この状態で、筐体２０の端部２１は、キャップ５０の窪みの内部に僅かに進入した位置にとどまり、ここで熱溶着や接着剤を用いるなどして接着され、固定される。こうして、無線通信機能を備えたＵＳＢ無線ＬＡＮアダプター１０が組み立てが完了する。なお、アンテナ４０のセンター部４６と終端部４３とは、基板３０にほぼ接触した状態となっているから、この部分のアンテナ４０の電気的な長さは、基板３０の誘電率だけ、長くなってものとして扱うことかできる。誘電率をαとすると、結局、アンテナ４０の電気的な長さは、
（α・ｄ１＋ｄ２＋ｄ３＋ｄ４＋α・ｄ５／２）×２
となる。通常は、この長さが、使用する周波数帯域の中心周波数（例えば２．４ＧＨｚ）の電波の波長の１／４となるように設計する。なお、アンテナ４０の電気的な長さは、波長の１／４の整数倍としても差し支えない。
【００２９】
以上説明した実施例の無線通信機器としてのＵＳＢ無線ＬＡＮアダプター１０は、アンテナ４０をキャップ５０の窪みに収納することができ、その外形形状を極めて小型にすることができる。また、筐体２０および基板３０をキャップ５０内の窪みに差し込むだけで、アンテナ４０と基板３０との電気的な接続を完了することができ、アンテナ４０を端子３８に半田付けしたり、金属製のバネを介して両者を接続させるという手間も要しない。しかも、基板３０をキャップ５０内に差し込んだ状態では、リブ５５，５７の圧縮変形からの復元力により基板３０とアンテナ４０とを挟持する力が作用するので、両者の接触は長期に亘って保持され、使用中に接触が断たれることがない。
【００３０】
また、上記の製造方法によれば、ＵＳＢ無線ＬＡＮアダプター１０は、キャップ５０の窪みにまずアンテナ４０を装着し、その後、筐体２０と基板３０とを差し込むだけでよく、極めて簡易に製造することができる。しかも、筐体２０と基板３０とを差し込むだけで、アンテナ４０と基板３０との電気的な接続が完了するので、半田付けなどの手間を要することがなく、製造が極めて容易となっている。
【００３１】
以上本発明の一実施例について説明したが、本発明はこうした実施例に限定されるものではなく、種々なる態様で実施することが可能である。例えば、上記実施例では、アンテナ４０は金属製としたが、セラミック基板の上に電極を形成したものとしても差し支えない。この場合、アンテナの電気的な長さは、セラミックの誘電率だけ長くなるので、アンテナを一層小型化することができる。例えば、立上部４７ａ，４７ｂを短くし、あるいはｄ２＝０として、センター部４６の折り返しをなくすことができる。もとより、アンテナの素材あるいは使用する周波数帯域の違いにより、アンテナの電気的な長さが更に必要な場合には、アンテナの折り返し回数を増やし、いわゆる葛折りの状態のアンテナとしても良い。
【００３２】
上記の実施例では、基板３０に２箇所の切欠部３１，３２を設け、ここにアンテナ４０が嵌り込むものとしたが、アンテナ４０の電気的な長さが確保できるのであれば、アンテナが基板の一方の側にのみ存在するような形状としても良い。また、基板の誘電率による電気的な長さを考慮する必要がなければ、切欠部３１−３２間に亘って、基板３０を切り落とすものとしても良い。
【００３３】
また、上記実施例では、アンテナ４０と基板３０との接触は、リブ５５，５７の圧縮変形からの復元力を利用したが、リブを板ばねのような形状として、その弾性変形を利用するものとしても良い。また、アンテナ４０の終端部４３に弾力を持たせる構成としても良い。例えば終端部４３の全体をアーチ形状とし、基板３０が差し込まれたときに、終端部４３が弾性変形するものとしても良い。また、リブ５５，５７に代えて、リブ５１，５３が弾性変形または圧縮変形するものとしても良いし、両者が変形するものとしても良い。実施例では、基板３０を差し込むことにより、アンテナと基板との接続を確実なものとする構造としたが、基板に代えて、筐体２０を差し込むことにより、間接的にアンテナを基板に押しつけるものとしても良い。
【００３４】
アンテナ４０の終端部４３ａ，４３ｂに突起４５ａ，４５ｂを設けたが、これらの突起はなくても良い。また円形に変えて、突起形状を線形状や十字形状としてもよい。突起は、基板側に設けることも差し支えない。なお、上記実施例では、収容体を筐体２０とキャップ５０とから構成したが、アンテナと基板とを固定できるのであれば、一体に形成することも差し支えない。また、収容体を基板の面方向にそって、上下２つの部材に分けた構成としても差し支えない。また、キャップの方が、筐体より、幅方向や厚み方向の寸法が小さい構成としても良い。
【００３５】
上記実施例の無線通信機器は、無線ＬＡＮのクライアントとなるＵＳＢ無線ＬＡＮアダプター１０としたが、ブルートゥース（登録商標）ようの通信機器やコードレスホンの通信機器として用いることも可能である。また無線ＬＡＮのクライアントとしては、２．４ＧＨｚのみならず、５Ｇ帯域の無線通信機器、あるいは更に異なる帯域の無線通信機器としても使用可能である。接続するコネクターとしても、実施例では、ＵＳＢを用いたが、その他のコネクター、例えばＵＳＢ３．０、ＩＥＥＥ１３９４、ＨＤＭＩなどのコネクターに装着する構成としても良い。
【符号の説明】
【００３６】
１０…ＵＳＢ無線ＬＡＮアダプター
２０…筐体
２１…端部
２３…端部
２５…開口
３０…基板（電子基板）
３１，３２…切欠部
３３…端部
３５…電子部材
３７…スルーホール
３８…端子
３９…端部
４０…アンテナ
４３ａ，４３ｂ…終端部
４５ａ，４５ｂ…突起
４６…センター部
４７ａ，４７ｂ…立上部
４８ａ，４８ｂ…上方部
４９ａ，４９ｂ…立下部
５０…キャップ
５１，５３，５５，５７…リブ
【図１】
2011211332.tif 000003
【図２】
2011211332.tif 000004
【図３】
2011211332.tif 000005
【図４】
2011211332.tif 000006
【図５】
2011211332.tif 000007
【図６】
2011211332.tif 000008
【図７】
2011211332.tif 000009